(57)【特許請求の範囲】
【請求項１】
構築途中の塔状構築物の躯体に対して、
（ａ）前記躯体の周囲にあって、この躯体に対して昇降可能な外部ステージ部と、
（ｂ）前記外部ステージ部の上端に載置された、この外部ステージ部に対して回転可能なトップステージ部と、
（ｃ）前記躯体の内側にあって、前記トップステージ部の回転に追従して回転しないよう、前記トップステージ部から吊り下げられた内部ステージ部と
を具備してなる作業ステージ装置を設置し、
以降、前記作業ステージ装置を用いて、前記躯体の残りの部分の構築を行い、前記躯体の構築が完了した後は、前記トップステージ部および前記内部ステージ部を撤去すると共に、前記外部ステージ部を降下させながら、前記躯体の仕上げ作業および／又は補修作業を行うことを特徴とする塔状構築物の構築方法。
【発明の詳細な説明】
【０００１】
【発明の属する技術分野】
本発明は、例えば、煙突などの塔状構築物の構築方法に関するものである。
【０００２】
【発明が解決しようとする課題】
煙突などの塔状構築物の構築方法としては、ジャンプフォーム工法やスリップフォーム工法が知られている。しかし、在来の工法には、次のような問題点がある。
第一に、躯体最上部の構築が完了すると、建方用の外部足場は撤去されることになる。したがって、躯体の外周囲には、あらたに仕上げ用のステージや補修用のステージを設置しなければならない。
【０００３】
第二に、躯体構築作業中、躯体上部にはトップステージが設置される。一方、躯体の内部空間は、このトップステージ上に据え付けられた揚重機を用いて、ユニット化された鉄筋やプレキャスト化された外壁パネルなどの吊り込みに使用される。ところが、こうしたユニット鉄筋やプレキャスト版の取付け位置と、トップステージの骨組み（メインフレーム）とは、上下にオーバーラップすることがある。つまり、しばしば、トップステージの骨組みが、吊り込まれるユニット鉄筋やプレキャスト版（正確には吊りワイヤ）に干渉する。こうした状況では、当然のことながら、施工に多大な労力を必要とする。
【０００４】
したがって、本発明が解決しようとする課題は、躯体の構築完了後、その外周囲に、あらたに仕上げ用のステージや補修用のステージを設置する必要のない塔状構築物の構築方法を提供することである。また、本発明が解決しようとする課題は、トップステージの骨組みに干渉されずに、ユニット鉄筋やプレキャスト版などを所定の位置に吊り込むことができる塔状構築物の構築方法を提供することである。
【０００５】
【課題を解決するための手段】
この課題は、
構築途中の塔状構築物の躯体に対して、
前記躯体の周囲にあって、この躯体に対して昇降可能な外部ステージ部と、前記外部ステージ部の上端に載置された、この外部ステージ部に対して回転可能なトップステージ部と、
前記躯体の内側にあって、前記トップステージ部の回転に追従して回転しないよう、前記トップステージ部から吊り下げられた内部ステージ部と
を具備してなる作業ステージ装置を設置し、
以降、前記作業ステージ装置を用いて、前記躯体の残りの部分の構築を行い、前記躯体の構築が完了した後は、前記トップステージ部および前記内部ステージ部を撤去すると共に、前記外部ステージ部を降下させながら、前記躯体の仕上げ作業および／又は補修作業を行うことを特徴とする塔状構築物の構築方法によって解決される。
【０００６】
すなわち、本発明に係る塔状構築物の構築方法では、塔状構築物の躯体の構築完了後、外部ステージ部を降下させながら、この外部ステージ部をそのまま利用して、躯体の仕上げ作業および／又は補修作業を行うようにした。よって、躯体の構築完了後、その外周囲に、あらたに仕上げ用のステージや補修用のステージを設置する必要はなく、在来工法に比して大幅な省力化が図れる。
【０００７】
また、本発明の塔状構築物の構築方法では、塔状構築物の躯体に設置される作業ステージ装置として、外部ステージ部に対してトップステージ部を回転可能にすると共に、内部ステージ部が、このトップステージ部の回転に追従して回転しないよう構成してなるものを使用した。よって、ユニット鉄筋やプレキャスト版などを吊り込む際には、トップステージ部を、その骨組みがユニット鉄筋やプレキャスト版（正確には吊りワイヤ）などに干渉しないよう適宜回転させることができる。言い換えれば、トップステージ部の骨組みに干渉されずに、ユニット鉄筋やプレキャスト版などを所定の位置に吊り込むことが可能となる。
【０００８】
【発明の実施の形態】
以下、図１〜図５を用いて、本発明の一実施形態を詳しく説明する。なお、図１は作業ステージ装置を設置した状態を示す概略断面図、図２も同じく作業ステージ装置を設置した状態を示す概略平面図、図３は作業ステージ装置における内部ステージ部保持部分の拡大断面図、図４は塔状構築物の躯体が完成する直前の状態を示す概略断面図、図５はトップステージ部および内部ステージ部を撤去した状態を示す概略断面図である。
【０００９】
本実施形態に係る塔状構築物の構築方法（以下、本構築方法と言う）は、特殊な構造の作業ステージ装置を用いて行われるものである。よって、ここで、本構築方法の実施にあたって重要な役割を果たす、この作業ステージ装置の構造について詳しく説明する。
作業ステージ装置は、図１や図２から判るように、構築途中の、すなわち、ある程度の高さまで構築された鉄筋コンクリート造の塔状構築物の躯体Ｂに対して設置されるものである。但し、正確に言うと、この作業ステージ装置は、後述する昇降ジャッキの支柱によって支持される。
【００１０】
本作業ステージ装置は、基本構成要素として、外部ステージ部１、トップステージ部２、そして内部ステージ部３を具備する。
このうち、外部ステージ部１は躯体（構築される躯体が占有することになる空間）Ｂの外周囲に、それを取り囲むよう設けられる。また、外部ステージ部１は３段式のものである。すなわち、この外部ステージ部１は、概して、鉛直部１ａおよび水平部１ｂからなるが、本実施形態では、水平部１ｂを上下３段となるよう設けている。
【００１１】
なお、外部ステージ部１は、外周養生ネット４や環状の水平養生枠５などを備える。また、外部ステージ部１の水平部１ｂのうちで、最も下方に位置するものには、昇降ジャッキ６が取り付けられている。更に、地上から鉛直に延びる支柱７が、この昇降ジャッキ６を挿通している。そして、これら昇降ジャッキ６および支柱７が共同で外部ステージ部１を支持し、必要に応じて、それを躯体Ｂに対して昇降させるようになっている。なお、本実施形態では、昇降ジャッキ６および支柱７からなる昇降手段を、９０°間隔で計四つ配置している。但し、支柱７は、躯体Ｂの構築が進むに従い、適宜継ぎ足される。また、躯体Ｂにおける既に構築された部分と支柱７との間には、所定の間隔で、支柱７の座屈防止用の控え材（図示せず）が配置される。
【００１２】
一方、トップステージ部２は、躯体Ｂを平面的にカバーするよう、外部ステージ部１の鉛直部１ａの上端に載置されている。更に詳しくは、外部ステージ部１の鉛直部１ａの上端側は、リング状のレールとなっており、このレールと、トップステージ部２の下面側に設けたローラ（図示せず）とが係合（図２中、Ｐ点）している。更に、このローラには駆動手段（図示せず）が接続されており、この結果、トップステージ部２は、外部ステージ部１に対して回転可能となっている（回転終了後、ローラはレールに対して固定される）。
【００１３】
なお、ここで用いたトップステージ部２は、略十文字形の骨組みを主構造体とするものであり、上記駆動手段に接続された上記ローラは、この骨組みの端部に設けられている。更に、この略十文字形の骨組みの中央には、揚重機８が旋回可能に設置される。また、トップステージ部２には、全天候対応式とするための屋根が架設されることもある（但し、この場合、屋根には資材取り込み用のハッチが設けられる）。ちなみに、図１に示すのは、この揚重機８がユニット鉄筋Ｍを吊り上げている状況である。
【００１４】
上記外部ステージ部１やトップステージ部２と共に作業ステージ装置を構成する内部ステージ部３は、躯体（構築される躯体が占有することになる空間）Ｂの内側に設けられる。また、この内部ステージ部３も３段式のものである。すなわち、この内部ステージ部３は、概して鉛直部３ａおよび水平部３ｂからなるが、本実施形態では、水平部３ｂを上下３段となるよう設けている。なお、内部ステージ部３には、ホイストクレーン９やコンクリートディストリビュータ１０などが設置される。
【００１５】
更に言えば、上記内部ステージ部３は、トップステージ部２の回転時、それに追従して回転しないよう、同トップステージ部２から吊り下げられている。より詳しくは、内部ステージ部３の保持部分（図２中、Ｑ点）を拡大して示す図３から判るように、トップステージ部２の下面には、リング状のレール１１が設けられている。一方、内部ステージ部３の鉛直部３ａの上端には、ローラ１２が取り付けられており、このローラ１２が上記レール１１の溝１１ａに納まっている。この結果、内部ステージ部３は、外部ステージ部１と共に昇降するものの、トップステージ部２と共には回転しないようになっている（回転終了後、ローラ１２はレール１１に対して固定される）。
【００１６】
なお、トップステージ部２の回転時、内部ステージ部３がこのトップステージ部２と共回りしないようにするため、躯体Ｂにおける既に構築された部分と内部ステージ部３との間には、所定の間隔で控え材１３が配される。但し、内部ステージ部３を、上記外部ステージ部１を支持する昇降手段とは別の昇降手段によって支持するようにしてもよい。
【００１７】
加えて、上記外部ステージ部１と内部ステージ部３とは、互いに対向する外型枠１４ａおよび内型枠１４ｂの支持に使用される。特に、外型枠１４ａについては、外部ステージ部１の２段目の水平部１ｂに、水平方向位置調整可能（躯体Ｂの断面寸法が変化する場合に使用）に支持されている。一方、内型枠１４ｂについても、内部ステージ部３の２段目の水平部３ｂに支持されている。このように設置された外型枠１４ａと内型枠１４ｂとの間には、揚重機８によって吊り込まれたユニット鉄筋Ｍなどが配置される。そして、上記コンクリートディストリビュータ１０を用いて、コンクリートが打設されることになる。ちなみに、外型枠１４ａおよび内型枠１４ｂとして、ここでは、転用を可能とするため鋼板を用いた。
【００１８】
なお、内部ステージ部３の下方には、人員用の昇降装置１５が設置される。また、内部ステージ部３の下部には、昇降階段３ｃが設けられる。作業ステージ装置上で作業を行う人員は、昇降装置１５から、この昇降階段３ｃを経て作業ステージ装置に搭乗することになる。
さて、上記構成の作業ステージ装置を用いた塔状構築物の構築は、次のようにして実施される。
【００１９】
すなわち、ある程度の高さまで構築された躯体Ｂに対して、上述したごとく作業ステージ装置を設置した後は、この作業ステージ装置を用いて、躯体Ｂの残りの部分の構築を行う。更に具体的に言うと、例えば、外部ステージ部１および内部ステージ部３の最下段の水平部１ｂ，３ｂでは、型枠１４ａ，１４ｂの組立てなどを行う。一方、中段（２段目）の水平部１ｂ，３ｂでは、最下段での作業に前後して、鉄筋の組立て（配筋）や型枠内へのコンクリートの打設作業を実施する。更に、水平養生枠５と一体になった足場５ａ上では、あらたに構築された躯体外周部分の一次仕上げ作業および養生作業を実施する。
【００２０】
次に、各段における作業が完了したならば、特に、打設されたコンクリートが硬化したならば、作業ステージ装置を１段分だけ上昇させる。すなわち、最下段の水平部１ｂ，３ｂが、中段の水平部１ｂ，３ｂが存在していた高さに位置するよう、あるいは、中段の水平部１ｂ，３ｂが、最上段の水平部１ｂ，３ｂが存在していた高さに位置するよう作業ステージ装置を上昇させる。なお、この際には言うまでもなく、支柱７によって支持された昇降ジャッキ６が使用される。
【００２１】
さて、こうして作業ステージ装置を１段分だけ上昇させたならば、先と同様にして躯体Ｂの構築作業を実施する。なお、ユニット鉄筋Ｍやプレキャスト版（図示せず）を吊り込む際には、必要であれば、トップステージ部２を適宜回転させて作業を実施する。
これ以降は、段階的に上記作業ステージ装置を上昇させながら、躯体Ｂの残りの部分の構築作業を繰り返し行えばよい。ちなみに、躯体Ｂの構築が完了する直前の状態は、図４に示すとおりである。
【００２２】
次に、塔状構築物の躯体Ｂの構築が完了した後は、まず、トップステージ部２（および揚重機８）や内部ステージ部３を解体・撤去する（図５参照）。
これが済んだならば、続いて、残った外部ステージ部１を段階的に降下させながら、躯体Ｂの外周面の仕上げ作業および補修作業を行う。なお、この際にも、外部ステージ部１の降下には、昇降ジャッキ６および支柱７からなる昇降手段が使用される。
【００２３】
外部ステージ部１を地上まで降下させたならば、それを解体・撤去する。これにより、塔状構築物の躯体構築が概ね完了となる。
さて、上述したように本構築方法では、塔状構築物の躯体Ｂの構築完了後、外部ステージ部１を降下させながら、この外部ステージ部１をそのまま利用して、躯体Ｂの仕上げ作業および補修作業を行うようにした。よって、躯体Ｂの構築完了後、その外周囲に、あらたに仕上げ用のステージや補修用のステージを設置する必要はなく、在来工法に比べて大幅な省力化が図れる。
【００２４】
また本構築方法では、塔状構築物の躯体Ｂに設置される作業ステージ装置として、外部ステージ部１に対してトップステージ部２を回転可能にすると共に、内部ステージ部３が、このトップステージ部２の回転に追従して回転しないよう構成してなるものを使用した。よって、ユニット鉄筋やプレキャスト版などを吊り込む際には、トップステージ部２を、その骨組みがユニット鉄筋やプレキャスト版（特にその吊りワイヤ）などに干渉しないよう適宜回転させることができる。つまり、トップステージ部２の骨組みに干渉されずに、ユニット鉄筋やプレキャスト版などを所定の位置に吊り込むことが可能である。
【００２５】
なお、本実施形態では、円形断面の塔状構築物すなわち煙突を構築する場合を例に挙げた。しかし、本発明は、矩形断面あるいは変則的な断面を有する塔状構築物の構築にも対応可能であり、構築対象物は上記実施形態のそれに限定されない。
【００２６】
【発明の効果】
本発明の塔状構築物の構築方法によれば、塔状構築物の躯体の構築完了後、その外周囲に、あらたに仕上げ用のステージや補修用のステージを設置しなくともよい。また、トップステージ部の骨組みに干渉されずに、ユニット鉄筋やプレキャスト版などを所定の位置に吊り込むことができる。
【図面の簡単な説明】
【図１】作業ステージ装置を設置した状態を示す概略断面図
【図２】作業ステージ装置を設置した状態を示す概略平面図
【図３】作業ステージ装置における内部ステージ部保持部分の拡大断面図
【図４】塔状構築物の躯体が完成する直前の状態を示す概略断面図
【図５】トップステージ部および内部ステージ部を撤去した状態を示す概略断面図
【符号の説明】
Ｂ          塔状構築物の躯体
１          外部ステージ部
１ａ        外部ステージ部の鉛直部
１ｂ        外部ステージ部の水平部
２          トップステージ部
３          内部ステージ部
３ａ        内部ステージ部の鉛直部
３ｂ        内部ステージ部の水平部
４          外周養生ネット
５          水平養生枠
６          昇降ジャッキ
７          支柱
８          揚重機
９          ホイストクレーン
１０          コンクリートディストリビュータ
１１          レール
１２          ローラ
１３          控え材
１４ａ        外型枠
１４ｂ        内型枠
１５          人員用の昇降装置
Ｍ          ユニット鉄筋
【図１】
0004172564.tif 000002
【図２】
0004172564.tif 000003
【図３】
0004172564.tif 000004
【図４】
0004172564.tif 000005
【図５】
0004172564.tif 000006